(57)【要約】      （修正有）【課題】パターの重量を適宜調整することが可能なゴルフ用パターを提供する。【解決手段】ゴルフ用パターと重量調整用パーツとの組み合わせであって、重量調整用パーツが複数個のパーツからなり、これら複数個のパーツが、一個目をａｇとした時、二個目を２ａｇとし、三個目を４ａｇとする如く、順次当該パーツの重量を前のパーツの重量の２倍重量とする。【選択図】図２
0003154731.tif 000002
【実用新案登録請求の範囲】
【請求項１】
ゴルフ用パターと重量調整用パーツとの組み合わせであって、該重量調整用パーツが複数個のパーツからなり、これら複数個のパーツが、一個目を適宜自由に定められるａグラム（ｇ）とした時、二個目を２ａｇとし、三個目を４ａｇとし、四個目を８ａｇとし、五個目を１６ａｇとする如く、順次当該パーツの重量を前のパーツの重量の２倍重量とすることを特徴とするゴルフ用パターと重量調整用パーツとの組み合わせ。
【請求項２】
ａｇが５ｇであることを特徴とする請求項１に記載のゴルフ用パターと重量調整用パーツとの組み合わせ。
【請求項３】
複数個のパーツが３個のパーツであることを特徴とする請求項１又は２に記載のゴルフ用パターと重量調整用パーツとの組み合わせ。
【請求項４】
複数個のパーツが各々比重の異なる金属で構成されていることを特徴とする請求項１〜３のいずれかに記載のゴルフ用パターと重量調整用パーツとの組み合わせ。
【考案の詳細な説明】
【技術分野】
【０００１】
本考案は、ゴルフ用パターに関するものであり、特にゴルフ用パターとそのヘッドの重さを調整するための重量調整用パーツとの組み合わせに関する。
【背景技術】
【０００２】
ゴルフ用パターは、ゴルフ競技において、主としてグリーン上にオンしたボールをヒットし、グリーン上でボールを転がしてカップに入れるためのゴルフクラブである。
ゴルフ競技は、通常１８ホールの打球数を競うものであり、ホール毎に打ち出しはティーアップしたボールをウッドクラブ若しくはアイアンクラブで打ち、その後、グリーンにオンするまで同じボールを種々のクラブで打ち、グリーン上ではパターを用いてボールをヒットし、転がしてカップに入れる。
また、ゴルフ競技では、最後にパターでカップインしてそのホールでのゲームが終了するが、パッティングはゲームでの勝敗の鍵となり、非常に重要である。優れたパターは、競技者の打球姿勢や慣習に応じて最良の重心位置を有し、重量が競技者に合ったパターである。このようなパターを用いるとスムースなストロークが行え、容易にスイートスポットにボールを当てることができ、その結果、カップインすることが可能となる。
【０００３】
更に、グリーンの状況は、ゴルフ場毎に異なり、更に同じゴルフ場においてもその日毎に芝の種類〈コーライ、ベント〉が異なり、芝の伸び具合が異なり、更に、グリーンの状態はその日の天候によっても大きく左右されるものである。
また、ゴルフ競技におけるパッティングは非常に微妙で、且つメンタルなものであり、競技者のその日の健康状態によっても、そのパッティングの良否は左右される。
このような状況の中で、ゴルフクラブの中でも、特にパターは、微妙な感覚を求められることから、従来から、パターの形状は、Ｌ字型、かまぼこ型、Ｔ字型と呼ばれる種々の型式のものが開発されているが、いずれの型式のパターもパターヘッドの慣性特性、重心特性、重量特性、視認特性などが重量であり、特に重量特性は極めて重要な要素である。
【０００４】
しかしながら、より高いスコアを要求されるプロゴルファーは、多くのパターを取り揃え、その中からグリーンコンディションや、その日の気分に合ったパターを選択することが可能であるが、多くのゴルフ愛好者は、一本のパターを用いて何れのグリーンに対してもグリーンコンディションに応じた使いこなしにより対応しているのが現状である。
従来から、パターに重量パーツを複数個取り付け、パターの重量を調節することは特許文献１に開示されている。
また、パターのヘッドの周囲部分とネック部分に複数のネジ孔を設け、使用者がこれらのネジ孔に重いボルト或いは軽いボルトを選択してねじ込むことにより、前後、左右、上下の重心位置及びヘッド部分の重量を調整することは特許文献２に開示されている。
更に、グリーンの状態、プレーヤーの好みに合わせて、フェースの重心位置、重心高さ、重心深度、重量を微妙に調整できるゴルフパターも特許文献３に開示されている。
【先行技術文献】
【特許文献】
【０００５】
【特許文献１】実開平０２−０３５７１６号公報
【特許文献２】特開２００１−１３７４００号公報
【特許文献３】実用新案登録第３０９９３１２号公報
【考案の概要】
【考案が解決しようとする課題】
【０００６】
本考案は、上記の従来のゴルフ用パターが有する問題点の改良を目的としてなされた考案であり、その日のグリーンコンディションの状態、天候、球技者の健康状態に応じて、パターの重量を適宜調整することが可能なゴルフ用パターを提供することを課題とする。
【課題を解決するための手段】
【０００７】
上記課題を解決するために、本考案者は鋭意検討を重ねた結果、ゴルフ用パターに取り付ける重量調整パーツに関して、特に特定の重量に規定された複数個のパーツを用いることにより極めて狭い重量範囲で、かつ幅広い範囲でパターヘッドの重量を調整し得ることを見出し、本考案をなすに至った。
すなわち、本考案は、以下の通りのものである。
１．ゴルフ用パターと重量調整用パーツとの組み合わせであって、該重量調整用パーツが複数個のパーツからなり、これら複数個のパーツが、一個目を適宜自由に定められるａグラム（ｇ）とした時、二個目を２ａｇとし、三個目を４ａｇとし、四個目を８ａｇとし、五個目を１６ａｇとする如く、順次当該該パーツを前のパーツの２倍重量とすることを特徴とするゴルフ用パターと重量調整用パーツとの組み合わせ。
２．ａｇが５ｇであることを特徴とする上記１．に記載のゴルフ用パターと重量調整用パーツとの組み合わせ。
３．複数個のパーツが３個のパーツであることを特徴とする上記１．又は２．に記載のゴルフ用パターと重量調整用パーツとの組み合わせ。
４．複数個のパーツが各々比重の異なる金属で構成されていることを特徴とする上記１．〜３．のいずれかに記載のゴルフ用パターと重量調整用パーツとの組み合わせ。
【考案の効果】
【０００８】
本考案のゴルフ用パターと複数個の重量調整用パーツを用いることにより、その日のグリーンコンデションの状態等に応じて、極めて狭い重量範囲で、かつ幅広い重量範囲でパターヘッドの重量を容易に調整し得ることができる。
【図面の簡単な説明】
【０００９】
【図１】本考案の１態様であるゴルフ用パターを示す様の斜視図である。
【図２】図１のヘッドに重量調整用パーツを取り付けた場合の側面図である。
【図３】図１のヘッドに重量調整用パーツを取り付けた場合の上面図である。
【図４】本考案の重量調整用パーツである。
【図５】本考案の他の態様であるゴルフ用パターに重量調整用パーツを取り付けた場合の概略図である。
【考案を実施するための形態】
【００１０】
以下に、本考案のゴルフ用パターと重量調整用パーツの組み合わせについて詳細に説明する。
本考案での組み合わせに用いるゴルフ用パターは、グリップ、シャフト及びヘッドを有する通常のパターであり、パターの形状としては、Ｌ字型、かまぼこ型、Ｔ字型と呼ばれるものが挙げられ、その他ヒッティングフェイスを有するあらゆる形式のパターに適用し得るものである。
【００１１】
本考案での組み合わせに用いる重量調整用パーツについては、複数個のパーツを準備し、これら複数個のパーツの個々のパーツを特定の重量のパーツとし、該複数のパーツを適宜組み合わせて、所望とする重量を得るものである。
即ち、本考案で準備する複数個のパーツは、一個目をａグラム（ｇ）とした時、二個目を２ａｇ、三個目を４ａｇ、四個目８ａｇ、五個目を１６ａｇ、六個目を３２ａｇ、七個目を６４ａｇ、八個目を１２８ａｇ、・・・とする如く、順次当該パーツの重量を前のパーツの重量の２倍量とすることを特徴とするものである。
複数個の重量調整用パーツの重量を上記の如くに規定すると、例えば２個のパーツを用いる場合は、パーツはａｇ、２ａｇの２個のパーツであるが、これらを組み合わせると、ａｇ、２ａｇ、３ａｇ（ａｇ＋２ａｇ）の３通りの重量を選択することが可能となる。
同様に３個のパーツ（ａｇ、２ａｇ、４ａｇ）を用いると、上記３通りに加えて、４ａｇ、５ａｇ（ａｇ＋４ａｇ）、６ａｇ（２ａｇ＋４ａｇ）、７ａｇ（ａｇ＋２ａｇ＋４ａｇ）の組み合わせが選択でき、合わせて７通りの重量を選択することが可能となる。
更に４個のパーツ（ａｇ、２ａｇ、４ａｇ、８ａｇ）を用いると、上記３個の組み合わせ７通りに加えて、８ａｇ、９ａｇ（ａｇ＋８ａｇ）、１０ａｇ（２ａｇ＋８ａｇ）、１１ａｇ（ａｇ＋２ａｇ＋８ａｇ）、１２ａｇ（４ａｇ＋８ａｇ）、１３ａｇ（ａｇ＋４ａｇ＋８ａｇ）、１４ａｇ（２ａｇ＋４ａｇ＋８ａｇ）、１５ａｇ（ａｇ＋２ａｇ＋４ａｇ＋８ａｇ）の組み合わせが選択でき、合わせて１５通りの重量を選択することが可能となる。
【００１２】
以上のことをまとめると、上記の如く順次当該パーツの重量を前のパーツの重量の２倍量とすると、ａｇ単位の重量範囲で、２個の場合は３通り、３個の場合は７通り（ａｇ乃至７ａｇ）、４個の場合は１５通り（ａｇ乃至１５ａｇ）、５個の場合は３１通り（ａｇ乃至３１ａｇ）、６個の場合は６３通り（ａｇ乃至６３ａｇ）、・・・の如く、幅広い重量範囲の重量を選択することが可能となる。
ここで、ａｇを１ｇとすると、複数のパーツは、１ｇ、２ｇ、４ｇ、８ｇ、１６ｇ、３２ｇ、・・・、となり、６個のパーツを選択すると１ｇ単位の幅で、１〜６３ｇの重量を選択することが可能となる。
同様に、ａｇを５ｇとすると、複数のパーツは、５ｇ、１０ｇ、２０ｇ、４０ｇ、８０ｇ、１６０ｇ、・・・、となり、６個のパーツを選択すると５ｇ単位の幅で、５〜３１５ｇの重量を選択することが可能となる。
複数の重量調整用パーツの一番目のパーツの重量（ａｇ）は、組み合わせるパターヘッドによりそのヘッドの重量を如何なる単位重量で、如何なる重量範囲で重量調整するかにより適宜自由に定められるが、通常は１〜１５ｇ、好ましくは３〜１２ｇ、特に好ましくは、５〜１０ｇの範囲である。
また、複数個の重量調整用パーツの使用個数は、通常は２〜７個、好ましくは３〜６個、更に好ましくは３〜５個の範囲から選択される。
【００１３】
本考案における重量調整用パーツの材質は、如何なるものでもよく、プラスチック材料や各種金属材料などが用いられる。各種金属材料の金属としては、鉄（Ｆｅ）、銅（Ｃｕ）、鉛（Ｐｂ）、及びそれらの合金、例えば、チタン（Ｔｉ）合金、タングステン（Ｗ）−ニッケル（Ｎｉ）合金、Ｗ−Ｃｕ合金、等が挙げられる。これらの金属材料は、各々比重が異なり、例えば鉛は１１．４、銅は８．９、鉄は７．９であり、これらの材料から適宜選択して用いる。本考案では複数個のパーツが、同一材料で形成されていてもよいが、各々比重の異なる材料で構成されていても良く、各パーツは２倍、２倍と増加していくので、形状が同じである場合はその厚さが２倍、２倍と厚くなるので、軽いパーツは比重の小さい材料で形成し、重いパーツは比重の大きい材料で形成すると、厚みの差が緩和されるので好ましい。
【００１４】
重量調整用パーツは、その形状はパターヘッドの形状からはみ出さなければ如何なる形状であってもよいが、パーツはパターヘッド本体のヒット面に対し該面の反対側に取り付けるのが一般的であるから、その形状はヘッド本体の取り付け箇所の形状に一致させることが好ましい。例えば、Ｌ字型、Ｔ字型のパターでは取り付け面がフェイス面と同じである場合が多く、重量調整用パーツは取り付け面と同じ形状にすれば良く、かまぼこ型の場合はフェイス面の反対側は湾曲しており、該湾曲に合わせて湾曲させればよい。取り付け位置は、フェイスの反対側のみに限らず、かまぼこ型の場合は上面に取り付けてもよい。
複数のパーツの取り付け手段としては、ヘッドに雌ネジ孔を形成し、該ネジ孔に複数のパーツを挟んで雄ネジをねじ込んで固定しても良く、パターヘッド本体のネジ棒を固定し、該ネジ棒に合致する孔を開けたパーツを複数個重ねて通し蝶ネジ又は六角ネジで固定しても良く、パーツ自体に一方側に雄ネジと他方側に雌ネジを設け、該ネジを介して複数個のパーツを積み重ねるように固定しても良く、その取り付け手段は適宜のものが採用される。
【００１５】
以下に本考案を図面を参照にして説明する。
図１は本出願人の考案したパターの概略斜視図であり、（１）はパターのヘッドであり、（２）はヘッドのフェイスであり、該面でボールをヒットする。図４に図１のパターヘッドに用いる重量調整用パーツの形状及び複数個のパーツを示し、（３）はパーツ形状を、（４）は複数個のパーツ（ａ〜１６ａの５個）を示し、個々のパーツに示しているａ〜１６ａは各々のパーツの重量を示す。パーツには、これらパーツをヘッドに固定するためのネジ棒を通すための孔（５）が設けられている。
図２、図３は、本考案の５個の重量調整用パーツを用いた場合の使用状態を示す概略図であり、図２は側面図であり、図３は上面図であり、（６）はヘッドに取り付けるネジ棒であり、（７）はパーツを挟んで取り付けるネジである。パーツは、５個のパーツを用いた場合、即ち、３３ａｇの重量を付加した場合を示しているが、取り付けるパーツは、必要とする重量に応じて１個でも２個でも良く、希望する重量により個々のパーツが選択される。図では、パターヘッドのボールをヒットするフェイス面（２）に対向する面に対して軽いパーツから順に取り付けているが、該取り付け順序は重いパーツから取り付けても良く、また複数個をランダムに取り付けてもよい。
【００１６】
図５は、本考案の他の態様を示す概略図であり、（８）はパターヘッドに複数個のパーツを固定するためのネジであり、複数個の重量調整用パーツは重い順にパターヘッドに取り付けられている。
上記図４、図５においては、重量調整用のパーツの各々は均一な厚みのパーツとして示されているが、ヘッドへのパーツの固定位置をトウ−ヒール方向（前後方向）に対象な位置に設けておけば、複数個のパーツの各々の内の少なくとも一つを前後方向に厚みを少し変えて形成した予備パーツを準備しておけば、トウ側に重心を置きたい場合はその厚みの相違するパーツの厚い方をトウ側となるように取り付け、ヒール側に重心を置きたい場合はパーツを裏返して厚い方をヒール側となるように取り付ければよい。
更に上下方向においても厚い方をヒール側になるように取り付ければ低重心のパターとなり、裏返して厚い方に、複数個のパーツの内の少なくとも１個のパーツの上下方向の厚みを少し変えてトウ側にして取り付ければ高重心のパターとなる。
【産業上の利用可能性】
【００１７】
本考案のゴルフ用パターと重量調整用パーツとの組み合わせは、ゴルフ競技におけるパッティングを容易にし、競技を面白くするので、ゴルフ業界の発展に寄与する。
【符号の説明】
【００１８】
１  ゴルフ用パターヘッド
２  ヘッドのフェイス
３  パーツの形状
４  複数個のパーツ
５  ネジ棒を通す穴
６  ネジ棒
７  パーツを固定するネジ
８  ネジ
【図１】
0003154731.tif 000003
【図２】
0003154731.tif 000004
【図３】
0003154731.tif 000005
【図４】
0003154731.tif 000006
【図５】
0003154731.tif 000007